(57)【要約】      （修正有）【課題】特許請求の範囲を構造解析し、明白な結構の形式でその特許請求の範囲の定義結構をロジック的に表示し、特許請求の範囲を分析・明白化する際の困難度を簡易化できる特許請求の範囲の構造解析の処理装置を提供する。【解決手段】特許請求の範囲における複数の元の文を読取り、特許請求の範囲を複数のグループに分けてそのグループを分断する特許請求の範囲の構造解析の処理装置であって、要素名詞取得モジュール１０と、グループ化モジュール２０と、分断モジュール３０と、を含む。【選択図】図１
2018120586.tif 000002
【特許請求の範囲】
【請求項１】
請求の範囲における複数の元の文を読み取って前記請求の範囲を複数のグループに分けて前記グループを分断する請求の範囲の構造解析の処理装置であって、
品詞関係表により、前記請求の範囲における要素名詞を認識して前記請求の範囲から前記要素名詞および連接関係叙述に分ける要素名詞取得モジュールと、
グループルールにより、前記請求の範囲の前記複数の元の文を１つ以上のグループにグループ化するグループ化モジュールと、
分断ルールにより、グループ化モジュールで処理して得た各前記グループの前記要素名詞および連接関係叙述を分断する分断モジュールと、
を含み、
前記分断ルールが、前記グループにおける前記要素名詞と前記連接関係叙述の間の品詞関係に関連し、且つ／又は、前記要素名詞と前記連接関係叙述の間の位置関係に関連し、且つ／又は、前記連接関係叙述における文字の間の品詞関係に関連することを特徴とする請求の範囲の構造解析の処理装置である。
【請求項２】
前記グループルールが、グループワードライブラリーにおけるグループワードによりグループの処理を執行し、且つ／又は、グループサブルールによりグループ化の処理を執行し、前記グループサブルールが元の文の冒頭の部分が要素名詞であり、且つ２回目に出現する要素名詞であることを判断する時に、前記要素名詞の位置を決めてグループ化し、且つ／又は、前記グループサブルールが元の文の冒頭の部分が要素名詞であり、且つ２回目に出現する要素名詞であってターゲット要素名詞とする時に、前記ターゲット要素名詞に対してもう１つの元の文に出現するかどうかを判断したり、もう１つの初めて出現する要素名詞のもう１つの元の文に出現するかどうかを続けて判断し、前記ターゲット要素名詞がもう１つの元の文に出現するかどうかやもう１つの初めて出現する要素名詞のもう１つの元の文に出現するかどうかを判断した後、前記ターゲット要素名詞の位置を決定してグループ化することを特徴とする請求項１に記載の請求の範囲の構造解析の処理装置。
【請求項３】
前記グループサブルールが、元の文が前記グループワードライブラリーにおけるグループワードを有することを判断する時に、前記元の文における前記グループワードの後の冒頭の部分が要素名詞であり、且つ２回目に出現する要素名詞であるターゲット要素名詞とするかどうかを判断し続け、前記ターゲット要素名詞が、冒頭の部分がもう１つの元の文の冒頭の部分に出現するかどうかやもう１つの初めて出現する要素名詞のもう１つの元の文に出現するかどうかことを判断したときに、前記ターゲット要素名詞の位置を決定してグループ化することを特徴とする請求項２に記載の請求の範囲の構造解析の処理装置。
【請求項４】
前記グループ化モジュールにおいて、前記グループサブルールの判断したことを提供するように、前記元の文の冒頭の部分の前記要素名詞を記憶する要素名詞記憶判断サブモジュールを含むことを特徴とする請求項２または３に記載の請求の範囲の構造解析の処理装置。
【請求項５】
前記分断ルールが前記元の文における要素名詞を前記要素名詞の後の連接関係叙述から分断することを特徴とする請求項１に記載の請求の範囲の構造解析の処理装置。
【請求項６】
同属集結ルールにより、集結ワードライブラリーにおける集結ワードを読取った時に、元の文の冒頭の部分に位置し、且つ初めて出現する要素名詞を記憶し、同属名詞になるように集結する同属集結モジュールを更に含むことを特徴とする請求項１に記載の請求の範囲の構造解析の処理装置。
【請求項７】
前記同属集結モジュールの執行回数を決定するために、前記グループに属する同属キーワードの個数を統計する同属キーワード統計部を更に含むことを特徴とする請求項６に記載の請求の範囲の構造解析の処理装置。
【請求項８】
前記グループルール、且つ／又は前記分断ルール、且つ／又は同属集結ルールにより、要素名詞の階層位置を決定する階層表示判断モジュールを更に含むことを特徴とする請求項１または６に記載の請求の範囲の構造解析の処理装置。
【請求項９】
前記階層表示判断モジュールで処理した前記請求の範囲の内容を前記要素名詞および前記要素名詞に対応する連接関係叙述が持つ階層関係により表示する表示モジュールを更に含むことを特徴とする請求項８に記載の請求の範囲の構造解析の処理装置。
【請求項１０】
前記表示モジュールが、同様な階層を有する要素名詞、且つ／又は要素叙述を同様な標示で標示することを特徴とする請求項９に記載の請求の範囲の構造解析の処理装置。
【請求項１１】
前記表示モジュールが、異なる階層を有する要素名詞、且つ／又は要素叙述を異なる標示で標示することを特徴とする請求項９に記載の請求の範囲の構造解析の処理装置。
【発明の詳細な説明】
【技術分野】
【０００１】
本発明は請求の範囲の構造解析の処理装置に関し、特に、ロジック的に構造解析された内容を生じて特許の閲読に貢献のある請求の範囲の構造解析の処理装置に関する。
【背景技術】
【０００２】
特許の請求の範囲は、固定のフォームの定義叙述であり、複数の元の文から構成されてその特許の構成要素およびその構成要素に対応する連接関係叙述を定義し、その中に、その構成要素が複数であり、１つの構成要素が一般的に、１つの主要要素及び／或は複数の副次要素で構成られ、それに有する連接関係叙述が主要要素と主要要素の間に関する関係叙述や、主要要素と副次要素の間に関する関係叙述や、副次要素と副次要素の間に関する関係叙述を有し、文字定義叙述の方式でそれらの関係叙述を表現する。つまり、請求の範囲は、複数の構成要素と複雑な構成要素とを互いに関係叙述する文字定義で構成され、一般の読者や特許のプロにとって、理解・閲読に対して異なる閲読の困難度が存在している。更に、該当特許の請求の範囲を詳細に分析・明確化して、複数の構成要素や連接関係叙述の混乱を避けるように、より精密な理解を必要とすると、その閲読の困難度がその精密な理解の執行に影響し、常に、ラインを描くことや注釈などでその精密な理解の執行を補助するため、執行上は相当不便である。
【発明の概要】
【発明が解決しようとする課題】
【０００３】
このため、本発明の目的は、特許請求の範囲を構造解析し、明白な結構の形式でその請求の範囲の定義結構をロジック的に表示し、利用者を補助してその請求の範囲の定義内容を快速で明白に理解し、利用者の閲読時間を縮め、請求の範囲を分析・明白化する際の困難度を簡易化できる請求の範囲の構造解析の処理装置を提供する。
【課題を解決するための手段】
【０００４】
本発明が従来の技術の問題を解決するための技術手段は、請求の範囲における複数の元の文を読取って前記請求の範囲を複数のグループに分けて前記グループを分断する請求の範囲の構造解析の処理装置であって、品詞関係表により、前記請求の範囲における要素名詞を認識して前記請求の範囲から前記要素名詞および連接関係叙述に分ける要素名詞取得モジュールと、グループルールにより、前記請求の範囲の前記複数の元の文を１つ以上のグループにグループ化するグループ化モジュールと、分断ルールにより、グループ化モジュールで処理して得た各前記グループの前記要素名詞および連接関係叙述を分断する分断モジュールと、を含み、前記分断ルールが、前記グループにおける前記要素名詞と前記連接関係叙述の間の品詞関係に関連し、且つ／又は、前記要素名詞と前記連接関係叙述の間の位置関係に関連し、且つ／又は、前記連接関係叙述における文字の間の品詞関係に関連することを特徴とする請求の範囲の構造解析の処理装置を提供する。
【０００５】
本発明に係る１つの実施例は、前記グループルールが、グループワードライブラリーにおけるグループワードによりグループの処理を執行し、且つ／又は、グループサブルールによりグループの処理を執行し、前記グループサブルールが元の文の冒頭の部分が要素名詞であり、且つ２回目に出現する要素名詞であることを判断する時に、前記要素名詞の位置を決めてグループ化し、且つ／又は、前記グループサブルールが元の文の冒頭の部分が要素名詞であり、且つ２回目に出現する要素名詞であってターゲット要素名詞とする時に、前記ターゲット要素名詞に対してもう１つの元の文に出現するかどうかを判断したり、もう１つの初めて出現する要素名詞のもう１つの元の文に出現するかどうかを続けて判断し、前記ターゲット要素名詞がもう１つの元の文に出現するかどうかやもう１つの初めて出現する要素名詞のもう１つの元の文に出現するかどうかを判断した後、前記ターゲット要素名詞の位置を決定してグループ化することを特徴とする請求の範囲の構造解析の処理装置を提供する。
【０００６】
本発明に係る１つの実施例は、前記グループサブルールが、元の文が前記グループワードライブラリーにおけるグループワードを有することを判断する時に、前記元の文における前記グループワードの後の冒頭の部分が要素名詞であり、且つ２回目に出現する要素名詞であるターゲット要素名詞とするかどうかを判断し続け、前記ターゲット要素名詞が、冒頭の部分がもう１つの元の文の冒頭の部分に出現するかどうかやもう１つの初めて出現する要素名詞のもう１つの元の文に出現するかどうかということを判断したときに、前記ターゲット要素名詞の位置を決定してグループ化することを特徴とする請求の範囲の構造解析の処理装置を提供する。
【０００７】
本発明に係る１つの実施例は、前記グループ化モジュールにおいて、前記グループサブルールが判断したことを提供するように、前記元の文の冒頭の部分の前記要素名詞を記憶する要素名詞記憶判断サブモジュールを含むことを特徴とする請求の範囲の構造解析の処理装置を提供する。
【０００８】
本発明に係る１つの実施例は、前記分断ルールが前記元の文における要素名詞を前記要素名詞の後の連接関係叙述から分断することを特徴とする請求の範囲の構造解析の処理装置を提供する。
【０００９】
本発明に係る１つの実施例は、同属集結ルールにより、集結ワードライブラリーにおける集結ワードを読取った時に、元の文の冒頭の部分に位置し、且つ初めて出現する要素名詞を記憶し、同属名詞になるように集結する同属集結モジュールを更に含むことを特徴とする請求の範囲の構造解析の処理装置を提供する。
【００１０】
本発明に係る１つの実施例は、前記同属集結モジュールの執行回数を決定するために、前記グループに属する同属キーワードの個数を統計する同属キーワード統計部を更に含むことを特徴とする請求の範囲の構造解析の処理装置を提供する。
【００１１】
本発明に係る１つの実施例は、前記グループルール、且つ／又は前記分断ルール、且つ／又は同属集結ルールにより、要素名詞の階層位置を決定する階層表示判断モジュールを更に含むことを特徴とする請求の範囲の構造解析の処理装置を提供する。
【００１２】
本発明に係る１つの実施例は、前記階層表示判断モジュールで処理した前記請求の範囲の内容を前記要素名詞および前記要素名詞に対応する連接関係叙述が持つ階層関係により表示する表示モジュールを更に含むことを特徴とする請求の範囲の構造解析の処理装置を提供する。
【００１３】
本発明に係る１つの実施例は、前記表示モジュールが、同様な階層を有する要素名詞、且つ／又は要素叙述を同様な標示で標示することを特徴とする請求の範囲の構造解析の処理装置を提供する。
【００１４】
本発明に係る１つの実施例は、前記表示モジュールが、異なる階層を有する要素名詞、且つ／又は要素叙述を異なる標示で標示することを特徴とする請求の範囲の構造解析の処理装置を提供する。
【発明の効果】
【００１５】
本発明はロジックルールで特許請求の範囲を構造解析してその請求の範囲の構造およびその構造の中の主要要素、副次要素および互いの連接関係叙述を得て、明白な構造の形式でその請求の範囲の定義構造をロジック的に表示し、利用者を補助してその請求の範囲の定義内容を快速で明白に理解し、利用者の閲読時間を縮め、請求の範囲を分析・明白する際の困難度を簡易化できる。
【図面の簡単な説明】
【００１６】
【図１】本発明に係る１つの実施例の請求の範囲の構造解析の処理装置を示すグループ図である。
【図２】本発明に係るもう１つの実施例の請求の範囲の構造解析の処理装置を示すグループ図である。
【図３ａ】要素名詞取得モジュール文分断ルール表を示す概略図である。
【図３ｂ】要素名詞取得モジュール品詞関係表を示す概略図である。
【図４】請求の範囲における要素名詞を取得した概略図である。
【発明を実施するための形態】
【００１７】
以下、図１及び図２により、本発明を実施するための形態を説明する。その説明は本発明を限定するものではなく、本発明の一つの実施例に過ぎない。
【００１８】
本発明に係る１つの実施例の請求の範囲の構造解析の処理装置は、複数の元の文を有する請求の範囲を複数のグループに分断し、その後、各の前記グループを個別な文に細かくに分断して段落整理された文を得る。
【００１９】
本発明の１つの実施例において、以下のような請求の範囲で例とする。
【００２０】
Ａ  ｍｏｕｎｔｉｎｇ  ｂｒａｃｋｅｔ  ｆｏｒ  ａ  ｒｏｏｆ  ｗｉｎｄｏｗ  ｃｏｍｐｒｉｓｉｎｇ：  ａ  ｆｒａｍｅ  ｍｏｕｎｔａｂｌｅ  ｅｌｅｍｅｎｔ  ｄｉｓｐｏｓｅｄ  ｏｎ  ａｎ  ｅｄｇｅ  ｏｆ  ｔｈｅ  ｒｏｏｆ  ｗｉｎｄｏｗ；  ａ  ｒｏｏｆ  ｍｏｕｎｔａｂｌｅ  ｅｌｅｍｅｎｔ  ｃｏｎｎｅｃｔｅｄ  ｗｉｔｈ  ｔｈｅ  ｆｒａｍｅ  ｍｏｕｎｔａｂｌｅ  ｅｌｅｍｅｎｔ；  ａｎｄ  ａ  ｈｉｎｇｅ  ｅｌｅｍｅｎｔ  ｓｅｃｕｒｅｌｙ  ｃｏｎｎｅｃｔｅｄ  ｗｉｔｈ  ａ  ｂａｓｅ  ｏｆ  ｔｈｅ  ｒｏｏｆ  ｍｏｕｎｔａｂｌｅ  ｅｌｅｍｅｎｔ，  ｗｈｅｒｅｉｎ  ｔｈｅ  ｈｉｎｇｅ  ｅｌｅｍｅｎｔ  ｍｅｃｈａｎｉｃａｌｌｙ  ｃｏｕｐｌｅｓ  ｔｈｅ  ｒｏｏｆ  ｍｏｕｎｔａｂｌｅ  ｅｌｅｍｅｎｔ  ａｎｄ  ｔｈｅ  ｆｒａｍｅ  ｍｏｕｎｔａｂｌｅ  ｅｌｅｍｅｎｔ  ｔｏｇｅｔｈｅｒ  ｓｏ  ｔｈａｔ  ｔｈｅ  ｒｏｏｆ  ｍｏｕｎｔａｂｌｅ  ｅｌｅｍｅｎｔ  ｉｓ  ｍｏｖａｂｌｅ  ｂｅｔｗｅｅｎ  ａｎ  ｏｕｔ  ｏｆ  ｕｓｅ  ｓｔｏｒａｇｅ  ｐｏｓｉｔｉｏｎ  ａｎｄ  ａｎ  ｉｎ  ｕｓｅ  ｍｏｕｎｔｉｎｇ  ｐｏｓｉｔｉｏｎ．
【００２１】
このような請求の範囲の例は、その構造が表示されず、閲読には大変難しいことである。
【００２２】
その範例において、その請求の範囲は複数の元の文を含め、各複数の文が句読点で区画する（即ち、各の句読点で区画する文が元の文である）。例えば、「Ａ  ｍｏｕｎｔｉｎｇ  ｂｒａｃｋｅｔ  ｆｏｒ  ａ  ｒｏｏｆ  ｗｉｎｄｏｗ  ｃｏｍｐｒｉｓｉｎｇ：  」、「ｆｒａｍｅ  ｍｏｕｎｔａｂｌｅ  ｅｌｅｍｅｎｔ  ｄｉｓｐｏｓｅｄ  ｏｎ  ａｎ  ｅｄｇｅ  ｏｆ  ｔｈｅ  ｒｏｏｆ  ｗｉｎｄｏｗ」、「ｒｏｏｆ  ｍｏｕｎｔａｂｌｅ  ｅｌｅｍｅｎｔ  ｃｏｎｎｅｃｔｅｄ  ｗｉｔｈ  ｔｈｅ  ｆｒａｍｅ  ｍｏｕｎｔａｂｌｅ  ｅｌｅｍｅｎｔ」、「ａｎｄ  ｈｉｎｇｅ  ｅｌｅｍｅｎｔ  ｃｏｎｎｅｃｔｅｄ  ｗｉｔｈ  ａ  ｂａｓｅ  ｏｆ  ｔｈｅ  ｒｏｏｆ  ｍｏｕｎｔａｂｌｅ  ｅｌｅｍｅｎｔ，」、「ｗｈｅｒｅｉｎ  ｔｈｅ  ｈｉｎｇｅ  ｅｌｅｍｅｎｔ  ｍｅｃｈａｎｉｃａｌｌｙ  ｃｏｕｐｌｅｓ  ｔｈｅ  ｒｏｏｆ  ｍｏｕｎｔａｂｌｅ  ｅｌｅｍｅｎｔ…」、「ｗｈｅｒｅｉｎ  ｔｈｅ  ｈｉｎｇｅ  ｅｌｅｍｅｎｔ  ｈａｓ  ａ  ｐｉｖｏｔａｌ  ｐｏｉｎｔ  ｌｏｃａｔａｂｌｅ  ｂｅｔｗｅｅｎ…」などは全て元の文である。
【００２３】
図１および図２に示すように、本発明の請求の範囲の構造解析の処理装置は、品詞関係表により、前記請求の範囲における要素名詞を認識して前記請求の範囲から前記要素名詞および連接関係叙述に分ける要素名詞取得モジュール１０を有する。
【００２４】
前記要素名詞取得モジュール１０が要素名詞の分けで元の文における１つの要素名詞を確認し、前記元の文における前記要素名詞が確認された後に前記元の文における連接関係叙述を確認する。前記要素名詞の確認が図３ｂに示す品詞関係表によることであり、前記品詞関係表が名詞の複数の品詞に対して前記複数の品詞の間の互いの順序の分断ルールを作る。前記複数の品詞が、名詞接頭語（例えば、“ａ”と“ｔｈｅ”）、関係代名詞（“ｗｈｉｃｈ”、“ｔｈａｔ”、“ｗｈｅｒｅｉｎ”など）、接置詞（例えば、“ｔｏ”、“ｆｒｏｍ”、“ｉｎｔｏ”  、“ｆｏｒ”など）、分詞（例えば、接尾語がｅｄやその例外）、及び接続詞（例えば、“ａｎｄ”、“ｏｒ”など）を含む。そして、図３ａの分断ルール表によって、各読み取られた文字の品詞や互いの関係により分断を行う。前記品詞関係表および前記分断ルールを使用して分断を行うことに関する細かい内容は、台湾発明特許のＩ５３７８６３号および台湾発明特許のＩ５５０４２２号案件を参考にしてください。ここで、その重複の内容を省略する。要素名詞は、要素名詞取得モジュール１０の処理部によって取得され、要素名詞取得モジュール１０のメモリに格納されるが、これに限定されない。要素名詞は、中央処理装置によって取得することができ、または本発明の請求の範囲の構造解析の処理装置１の任意のメモリに格納することができる。
【００２５】
図３ａ及び図３ｂに示すように、前記要素名詞取得モジュール１０が前記請求の範囲における文字の品詞によって前記請求の範囲から要素名詞を取得し、前記文字の品詞が文分段ルール表（図３ａ）及び品詞関係表（図３ｂ）を含む。前記要素名詞取得モジュール１０が前記文字の品詞により前記請求の範囲における名詞の頭文字を決定して前記要素名詞の冒頭の部分とし、文字の品詞によって前記要素名詞の最終分断位置を決定し、前記要素名詞を取得する。
【００２６】
それらの台湾発明特許において、具体的には、前記品詞関係表が文字の品詞によって得た複数のデータベースであり、図３ｂに示す内容を参考し、前記複数のデータベースが、例えば、名詞接頭語データベース、従属動詞データベース、接置詞データベース、関係代名詞データベース、分詞接尾語データベース、副詞接尾語データベース及び例外データベースなどを含む。品詞の判断は、非常に少ない単語または単一の単語のいくつかの字だけが識別されることが要求されるという利点があり、前記文字の品詞が全ての文字に対して品詞の判断を行う必要がなく、反対的に、複数の相対に数が限定された名詞接頭語データベース（ａ、ａｎ、ｔｈｅ、ｓａｉｄ、ｏｎｅ、ｅａｃｈ）、従属動詞データベース（ｂｅｉｎｇ、ｉｓ、ａｒｅ、ｃａｎ、ｍａｙ、ｗｉｌｌ、ｃｏｍｐｒｉｓｅｓ、ｃｏｍｐｒｉｓｉｎｇ、ｉｎｃｌｕｄｅｓ、ｉｎｃｌｕｄｉｎｇ、ｈａｓ、ｈａｖｅ、ｈａｖｉｎｇ）、接置詞データベース（ｔｏ、ｆｒｏｍ、ｉｎ、ｏｎ、ｗｉｔｈ、ｂｅｔｗｅｅｎ、ａｔなど）、関係代名詞データベース（ｗｈｏ、ｗｈｉｃｈ、ｔｈａｔ、ｗｈｅｒｅｉｎ、ｗｈｅｒｅなど）、分詞接尾語データベース（〜ｉｎｇ、〜ｅｄ）及び副詞接尾語データベース（〜ｌｙ）により、分詞例外データベース（ｍａｋｉｎｇ、ｈａｖｉｎｇ、ｐｒｏｖｉｄｅｄ、ｓａｉｄ）及び副詞接尾語の例外データベース（ａｓｓｅｍｂｌｙ、ａｎｏｍａｌｙ、ｄｏｉｌｙ、ｆａｍｉｌｙ、ｆｌｙ、ｊｅｌｌｙ、ｒｅｐｌｙ、ｓｕｐｐｌｙ、ｔａｌｌｙ、ｕｎｄｅｒｂｅｌｌｙ）を加えて品詞の判断を行い、前記要素名詞を得る。即ち、請求の範囲に読まれた文字に対して品詞の判断を行い、前記読まれた文字がどのデータベースに所属であるかを判断し、文分断ルール表（図３ａ）によって、要素名詞の冒頭の部分が分断の箇所に位置することを決定して前記要素名詞を決定する。前記要素名詞が前記請求の範囲において定義された名詞である。要素名詞は、要素名詞取得モジュール１０の処理部によって取得され、要素名詞取得モジュール１０のメモリに格納されるが、これに限定されない。要素名詞は、中央処理装置によって取得することができ、または本発明の請求の範囲の構造解析の処理装置１の任意のメモリに格納することができる。
【００２７】
例として英語の文を挙げる。“ａ  ｃｉｒｃｕｉｔ  ｂｏａｒｄ  ｐｒｏｖｉｄｅｄ  ｗｉｔｈ  ｅｄｇｅｓ  ｅｘｔｅｎｄｉｎｇ  ｉｎ  ａ  ｌｏｎｇｉｔｕｄｉｎａｌ  ｄｉｒｅｃｔｉｏｎ  ｏｆ  ｓａｉｄ  ｃｉｒｃｕｉｔ  ｂｏａｒｄ”。
【００２８】
以下、図３ａの前記文分断ルールを参考にして如何に前記要素名詞を取得するのかを説明する。“「ａ」ｃｉｒｃｕｉｔ  ｂｏａｒｄ  ｐｒｏｖｉｄｅｄ  ｗｉｔｈ  ｅｄｇｅｓ  ｅｘｔｅｎｄｉｎｇ  ｉｎ  ａ  ｌｏｎｇｉｔｕｄｉｎａｌ  ｄｉｒｅｃｔｉｏｎ  ｏｆ  ｓａｉｄ  ｃｉｒｃｕｉｔ  ｂｏａｒｄ；”を読み込むと、その中の「」の内の文字が読み込められた文字となる。図３ａの前記文分断ルールに示す内容を同時に参考し、「ａ」である名詞が「名詞接頭語データベース」（図３ａの２行目に示すように、即ち、標号１〜１７）に所属するため、読み込みを続行する。続いて、ａ  「ｃｉｒｃｕｉｔ」  ｂｏａｒｄ  ｐｒｏｖｉｄｅｄ  ｗｉｔｈ  ｅｄｇｅｓ  ｅｘｔｅｎｄｉｎｇ  ｉｎ  ａ  ｌｏｎｇｉｔｕｄｉｎａｌ  ｄｉｒｅｃｔｉｏｎ  ｏｆ  ｓａｉｄ  ｃｉｒｃｕｉｔ  ｂｏａｒｄ；”を読み込むと、文の中の「ｃｉｒｃｕｉｔ」がいずれの資料表にも所属していないので、読み込みを続行する（標号１〜１７において選択し続ける）。“ａ  ｃｉｒｃｕｉｔ  「ｂｏａｒｄ」  ｐｒｏｖｉｄｅｄ  ｗｉｔｈ  ｅｄｇｅｓ  ｅｘｔｅｎｄｉｎｇ  ｉｎ  ａ  ｌｏｎｇｉｔｕｄｉｎａｌ  ｄｉｒｅｃｔｉｏｎ  ｏｆ  ｓａｉｄ  ｃｉｒｃｕｉｔ  ｂｏａｒｄ；”を読み込むと、その「ｂｏａｒｄ」もいずれの資料表にも所属していないので、読み込みを続行する。“ａ  ｃｉｒｃｕｉｔ  ｂｏａｒｄ  「ｐｒｏｖｉｄｅｄ」  ｗｉｔｈ  ｅｄｇｅｓ  ｅｘｔｅｎｄｉｎｇ  ｉｎ  ａ  ｌｏｎｇｉｔｕｄｉｎａｌ  ｄｉｒｅｃｔｉｏｎ  ｏｆ  ｓａｉｄ  ｃｉｒｃｕｉｔ  ｂｏａｒｄ；”を読み込むと、文の中の「ｐｒｏｖｉｄｅｄ」が分詞データベースに所属する（標号５〜１０において、”●”で表示されたものを選択する）。このため、図３ａの前記文分断ルール表により、番号標示５〜１０の処理を行い、その６行の処理が、前記分詞（ｐｒｏｖｉｄｅｄ）を一時的な分断位置とし、読み込みを続け、標示５〜１０中のどの行の処理を選択するかを決定する。“ａ  ｃｉｒｃｕｉｔ  ｂｏａｒｄ  ｐｒｏｖｉｄｅｄ  「ｗｉｔｈ」  ｅｄｇｅｓ  ｅｘｔｅｎｄｉｎｇ  ｉｎ  ａ  ｌｏｎｇｉｔｕｄｉｎａｌ  ｄｉｒｅｃｔｉｏｎ  ｏｆ  ｓａｉｄ  ｃｉｒｃｕｉｔ  ｂｏａｒｄ；”を読み込むと、文の中の「ｗｉｔｈ」が接置詞データベースに所属する（標号６において、”○”で表示された行）ので、前記文分断ルール表により、番号標示６を選択して当行の処理をする。当行の処理が、前の分詞の前記一時的な分断位置を正式な分断位置として「成立」するように決定する。このため、前記分詞（ｐｒｏｖｉｄｅｄ）を分断位置に決定して前記分断位置の前の部分、即ち「ａ  ｃｉｒｃｕｉｔ  ｂｏａｒｄ」を要素名詞とし、請求の範囲の要素名詞を決定する。請求の範囲の順次読み取りは、要素名詞取得モジュール１０の処理ユニットによって実行され、その結果は、要素名詞取得モジュール１０のメモリに記憶されるが、これに限定されない。請求の範囲の順次読み取りは、中央処理装置によって実行することができ、または本発明の請求の範囲の構造解析の処理装置１の任意のメモリに格納することができる。
【００２９】
図４に示すような内容を参照し、請求の範囲における要素名詞を取得した概略図である。具体的に、文字の品詞の品詞関係表及び文分断ルール表により、請求の範囲における要素名詞を取得する。図４から、請求の範囲から要素名詞「ａ  ｓｕｉｔ」、要素名詞「ａ  ｈａｒｄ  ｕｐｐｅｒ  ｔｏｒｓｏ」、要素名詞「ａ  ｐｌｕｒａｌｉｔｙ  ｏｆ  ｓｈｏｕｌｄｅｒ  ａｐｅｒｔｕｒｅｓ」、要素名詞「ａ  ｒｅｐｏｓｉｔｉｏｎａｂｌｅ  ｓｃｙｅ  ｂｅａｒｉｎｇ」、要素名詞「ｏｎｅ  ｏｆ  ｔｈｅ  ｓｈｏｕｌｄｅｒ  ａｐｅｒｔｕｒｅｓ」、要素名詞「ａ  ｓｅｃｏｎｄ  ａｄｊｕｓｔａｂｌｅ  ｓｈｏｕｌｄｅｒ  ｄｅｖｉｃｅ」、要素名詞「ａ  ｓｅｃｏｎｄ  ｓｅｔ  ｏｆ  ｆｉｒｓｔ  ａｎｄ  ｓｅｃｏｎｄ  ａｎｃｈｏｒｓ」、要素名詞「ｔｈｅ  ｈａｒｄ  ｕｐｐｅｒ  ｔｏｒｓｏ  ａｎｄ  ｔｈｅ  ｓｃｙｅ  ｂｅａｒｉｎｇ」、要素名詞「ａ  ｓｅｃｏｎｄ  ａｄｊｕｓｔａｂｌｅ  ｃｏｒｄ」、要素名詞「ｔｈｅ  ｓｅｃｏｎｄ  ｓｅｔ  ｏｆ  ｆｉｒｓｔ  ａｎｄ  ｓｅｃｏｎｄ  ａｎｃｈｏｒｓ」、要素名詞「ｔｈｅ  ｓｃｙｅ  ｂｅａｒｉｎｇ」、要素名詞「ａｔ  ｌｅａｓｔ  ｏｎｅ  ｏｆ  ｔｈｅ  ｆｉｒｓｔ  ａｎｄ  ｓｅｃｏｎｄ  ａｎｃｈｏｒｓ」、要素名詞「ａｎ  ａｔｔａｃｈｍｅｎｔ」、要素名詞「ａ  ｓｌｉｄｅｒ」、要素名詞「ｔｈｅ  ａｔｔａｃｈｍｅｎｔ」、要素名詞「ｔｈｅ  ｃｏｒｄ」及び要素名詞「ｔｈｅ  ｓｌｉｄｅｒ」を取得する。取得された要素名詞がグループに配置される位置により標示される。要素名詞を取得した後、関係叙述が要素名詞と要素名詞の間にある定義内容である。請求の範囲の順次読み取りは、要素名詞取得モジュール１０の処理ユニットによって実行され、その結果は、要素名詞取得モジュール１０のメモリに格納されるが、これに限定されない。請求の範囲の順次読み取りは、中央処理装置によって実行することができ、または本発明の請求の範囲の構造解析の処理装置１の任意のメモリに格納することができる。
【００３０】
前記第１実施例の前述請求の範囲を例として、前記「Ａ  ｍｏｕｎｔｉｎｇ  ｂｒａｃｋｅｔ  ｆｏｒ  ａ  ｒｏｏｆ  ｗｉｎｄｏｗ  ｃｏｍｐｒｉｓｉｎｇ：」という元の文が確認されて「Ａ  ｍｏｕｎｔｉｎｇ  ｂｒａｃｋｅｔ」と「ａ  ｒｏｏｆ  ｗｉｎｄｏｗ」という要素名詞が得られ、且つ、その文において、それらの要素名詞以外の部分が連接関係叙述であることが得られて「ｃｏｍｐｒｉｓｉｎｇ：」という要素関係叙述が得られる。なお、より正確な要素名詞を得るために、１つの要素名詞ともう１つの要素名詞の間は接置詞「ｏｆ」である際に、その２つの要素名詞が１つの要素名詞に組合せ、例えば、「ａ  ｆｒａｍｅ  ｍｏｕｎｔａｂｌｅ  ｅｌｅｍｅｎｔ  ｏｆ  ａ  ｍｏｕｎｔｉｎｇ  ｂｒａｃｋｅｔ」という例において、「ａ  ｆｒａｍｅ  ｍｏｕｎｔａｂｌｅ  ｅｌｅｍｅｎｔ」および「ａ  ｍｏｕｎｔｉｎｇ  ｂｒａｃｋｅｔ」を得た後に、接置詞「ｏｆ」により２つの要素名詞を組合して「ａ  ｆｒａｍｅ  ｍｏｕｎｔａｂｌｅ  ｅｌｅｍｅｎｔ  ｏｆ  ａ  ｍｏｕｎｔｉｎｇ  ｂｒａｃｋｅｔ」という要素名詞を得られる。
【００３１】
全ての請求の範囲が処理された後、前記要素名詞取得モジュール１０によって前記請求の範囲における確認された要素名詞を得る。それらの要素名詞が、以下のように、アンダーラインでマークする。
Ａ  ｍｏｕｎｔｉｎｇ  ｂｒａｃｋｅｔ  ｆｏｒ  ａ  ｒｏｏｆ  ｗｉｎｄｏｗ  ｃｏｍｐｒｉｓｉｎｇ：  ａ  ｆｒａｍｅ  ｍｏｕｎｔａｂｌｅ  ｅｌｅｍｅｎｔ  ｄｉｓｐｏｓｅｄ  ｏｎ  ａｎ  ｅｄｇｅ  ｏｆ  ｔｈｅ  ｒｏｏｆ  ｗｉｎｄｏｗ；  ａ  ｒｏｏｆ  ｍｏｕｎｔａｂｌｅ  ｅｌｅｍｅｎｔ  ｃｏｎｎｅｃｔｅｄ  ｗｉｔｈ  ｔｈｅ  ｆｒａｍｅ  ｍｏｕｎｔａｂｌｅ  ｅｌｅｍｅｎｔ；  ａｎｄ  ａ  ｈｉｎｇｅ  ｅｌｅｍｅｎｔ  ｓｅｃｕｒｅｌｙ  ｃｏｎｎｅｃｔｅｄ  ｗｉｔｈ  ａ  ｂａｓｅ  ｏｆ  ｔｈｅ  ｒｏｏｆ  ｍｏｕｎｔａｂｌｅ  ｅｌｅｍｅｎｔ，  ｗｈｅｒｅｉｎ  ｔｈｅ  ｈｉｎｇｅ  ｅｌｅｍｅｎｔ  ｍｅｃｈａｎｉｃａｌｌｙ  ｃｏｕｐｌｅｓ  ｔｈｅ  ｒｏｏｆ  ｍｏｕｎｔａｂｌｅ  ｅｌｅｍｅｎｔ  ａｎｄ  ｔｈｅ  ｆｒａｍｅ  ｍｏｕｎｔａｂｌｅ  ｅｌｅｍｅｎｔ  ｔｏｇｅｔｈｅｒ  ｓｏ  ｔｈａｔ  ｔｈｅ  ｒｏｏｆ  ｍｏｕｎｔａｂｌｅ  ｅｌｅｍｅｎｔ  ｉｓ  ｍｏｖａｂｌｅ  ｂｅｔｗｅｅｎ  ａｎ  ｏｕｔ  ｏｆ  ｕｓｅ  ｓｔｏｒａｇｅ  ｐｏｓｉｔｉｏｎ  ａｎｄ  ａｎ  ｉｎ  ｕｓｅ  ｍｏｕｎｔｉｎｇ  ｐｏｓｉｔｉｏｎ．
【００３２】
上述の要素名詞が得られた後、個別の元の文における前記要素名詞以外の部分が連接関係叙述である。上述の例から、その中の「ｃｏｍｐｒｉｓｉｎｇ：」「ｄｉｓｐｏｓｅｄ  ｏｎ」、「ｃｏｎｎｅｃｔｅｄ  ｗｉｔｈ」、「ｓｅｃｕｒｅｌｙ  ｃｏｎｎｅｃｔｅｄ  ｗｉｔｈ」、「ｍｅｃｈａｎｉｃａｌｌｙ  ｃｏｕｐｌｅｓ」、「ｔｏｇｅｔｈｅｒ  ｓｏ  ｔｈａｔ」、「ｉｓ  ｍｏｖａｂｌｅ  ｂｅｔｗｅｅｎ」が個別の元の文の連接関係叙述である。要素名詞および連接関係叙述の取得は、要素名詞取得モジュール１０の処理部によって実行され、その結果は、要素名詞取得モジュール１０のメモリに格納されるが、これに限定されない。要素名詞および連接関係叙述の取得は、中央処理装置によって実行することができ、または本発明の請求の範囲の構造解析の処理装置１の任意のメモリに格納することができる。
【００３３】
また、本発明の前記請求の範囲の構造解析の処理装置１は、グループルールにより、前記請求の範囲の前記複数の元の文を１つ以上のグループにグループ化するグループ化モジュール２０を有する。前記グループルールが、グループワードライブラリーにおけるグループワードによりグループの処理を執行し、且つ／又は、グループサブルールによりグループの処理を執行し、前記グループサブルールが、元の文の冒頭の部分が２回目に出現する要素名詞であるターゲット要素名詞であり、且つ、前記元の文の前のもう１つの元の文に出現し、前記もう１つの元の文の冒頭の部分が１回目に出現する要素名詞であることを判断し、ターゲット要素名詞の位置をグループの開始位置に決定する。グループ化は、グループ化モジュール２０の処理ユニットによって実行され、その結果は、要素名詞取得モジュール１０のメモリに格納されるが、これに限定されない。グループ化は、中央処理装置によって実行することができ、または本発明の請求の範囲の構造解析の処理装置１の任意のメモリに格納することができる。
【００３４】
前記グループ化モジュール２０の前記グループルールにおける前記グループワードライブラリーが「ｗｈｅｒｅｉｎ」、「ｃｈａｒａｃｔｅｒｉｚｅｄ  ｂｙ  ｔｈａｔ」、「ｃｈａｒａｃｔｅｒｉｚｅｄ  ｉｎ  ｔｈａｔ」、「  ｃｏｍｐｒｉｓｉｎｇ：」を含む。「ｗｈｅｒｅｉｎ」を例として、その「ｗｈｅｒｅｉｎ」で冒頭の部分とする元の文を前の１つの元の文と分断し、グループするという目的に達成する。「ｗｈｅｒｅｉｎ」、「ｃｈａｒａｃｔｅｒｉｚｅｄ  ｂｙ  ｔｈａｔ」および「ｃｈａｒａｃｔｅｒｉｚｅｄ  ｉｎ  ｔｈａｔ」に対して、その「ｗｈｅｒｅｉｎ」を新しい分段グループの冒頭の部分とし、「ｃｏｍｐｒｉｓｉｎｇ：」に対して、「ｃｏｍｐｒｉｓｉｎｇ：」の次の文字で新しい分段のグループの冒頭の部分とする。そして、以下のような分段グループを得られる。
「Ａ  ｍｏｕｎｔｉｎｇ  ｂｒａｃｋｅｔ  ｆｏｒ  ａ  ｒｏｏｆ  ｗｉｎｄｏｗ  ｃｏｍｐｒｉｓｉｎｇ：」、「ａ  ｆｒａｍｅ  ｍｏｕｎｔａｂｌｅ  ｅｌｅｍｅｎｔ  ｄｉｓｐｏｓｅｄ  ｏｎ  ａｎ  ｅｄｇｅ  ｏｆ  ｔｈｅ  ｒｏｏｆ  ｗｉｎｄｏｗ；  ａ  ｒｏｏｆ  ｍｏｕｎｔａｂｌｅ  ｅｌｅｍｅｎｔ  ｃｏｎｎｅｃｔｅｄ  ｗｉｔｈ  ｔｈｅ  ｆｒａｍｅ  ｍｏｕｎｔａｂｌｅ  ｅｌｅｍｅｎｔ；  ａｎｄ  ａ  ｈｉｎｇｅ  ｅｌｅｍｅｎｔ  ｓｅｃｕｒｅｌｙ  ｃｏｎｎｅｃｔｅｄ  ｗｉｔｈ  ａ  ｂａｓｅ  ｏｆ  ｔｈｅ  ｒｏｏｆ  ｍｏｕｎｔａｂｌｅ  ｅｌｅｍｅｎｔ，」、および「ｗｈｅｒｅｉｎ  ｔｈｅ  ｈｉｎｇｅ  ｅｌｅｍｅｎｔ  ｍｅｃｈａｎｉｃａｌｌｙ  ｃｏｕｐｌｅｓ  ｔｈｅ  ｒｏｏｆ  ｍｏｕｎｔａｂｌｅ  ｅｌｅｍｅｎｔ  ａｎｄ  ｔｈｅ  ｆｒａｍｅ  ｍｏｕｎｔａｂｌｅ  ｅｌｅｍｅｎｔ  ｔｏｇｅｔｈｅｒ  ｓｏ  ｔｈａｔ  ｔｈｅ  ｒｏｏｆ  ｍｏｕｎｔａｂｌｅ  ｅｌｅｍｅｎｔ  ｉｓ  ｍｏｖａｂｌｅ  ｂｅｔｗｅｅｎ  ａｎ  ｏｕｔ  ｏｆ  ｕｓｅ  ｓｔｏｒａｇｅ  ｐｏｓｉｔｉｏｎ  ａｎｄ  ａｎ  ｉｎ  ｕｓｅ  ｍｏｕｎｔｉｎｇ  ｐｏｓｉｔｉｏｎ．」。
【００３５】
つまり、元の請求の範囲から見ると、その請求の範囲が３つの分段グループにグループ化される。
Ａ  ｍｏｕｎｔｉｎｇ  ｂｒａｃｋｅｔ  ｆｏｒ  ａ  ｒｏｏｆ  ｗｉｎｄｏｗ，  ｃｏｍｐｒｉｓｉｎｇ：  
ａ  ｆｒａｍｅ  ｍｏｕｎｔａｂｌｅ  ｅｌｅｍｅｎｔ  ｄｉｓｐｏｓｅｄ  ｏｎ  ａｎ  ｅｄｇｅ  ｏｆ  ｔｈｅ  ｒｏｏｆ  ｗｉｎｄｏｗ；  ａ  ｒｏｏｆ  ｍｏｕｎｔａｂｌｅ  ｅｌｅｍｅｎｔ  ｃｏｎｎｅｃｔｅｄ  ｗｉｔｈ  ｔｈｅ  ｆｒａｍｅ  ｍｏｕｎｔａｂｌｅ  ｅｌｅｍｅｎｔ；  ａｎｄ  ａ  ｈｉｎｇｅ  ｅｌｅｍｅｎｔ  ｓｅｃｕｒｅｌｙ  ｃｏｎｎｅｃｔｅｄ  ｗｉｔｈ  ａ  ｂａｓｅ  ｏｆ  ｔｈｅ  ｒｏｏｆ  ｍｏｕｎｔａｂｌｅ  ｅｌｅｍｅｎｔ，  
ｗｈｅｒｅｉｎ  ｔｈｅ  ｈｉｎｇｅ  ｅｌｅｍｅｎｔ  ｍｅｃｈａｎｉｃａｌｌｙ  ｃｏｕｐｌｅｓ  ｔｈｅ  ｒｏｏｆ  ｍｏｕｎｔａｂｌｅ  ｅｌｅｍｅｎｔ  ａｎｄ  ｔｈｅ  ｆｒａｍｅ  ｍｏｕｎｔａｂｌｅ  ｅｌｅｍｅｎｔ  ｔｏｇｅｔｈｅｒ  ｓｏ  ｔｈａｔ  ｔｈｅ  ｒｏｏｆ  ｍｏｕｎｔａｂｌｅ  ｅｌｅｍｅｎｔ  ｉｓ  ｍｏｖａｂｌｅ  ｂｅｔｗｅｅｎ  ａｎ  ｏｕｔ  ｏｆ  ｕｓｅ  ｓｔｏｒａｇｅ  ｐｏｓｉｔｉｏｎ  ａｎｄ  ａｎ  ｉｎ  ｕｓｅ  ｍｏｕｎｔｉｎｇ  ｐｏｓｉｔｉｏｎ．。
【００３６】
グループ化モジュール２０が「ｗｈｅｒｅｉｎ」を有しない請求の範囲をグループ化する処置を執行できる。例えば、「ｗｈｅｒｅｉｎ」を有しない請求の範囲において、本発明の請求の範囲の構造解析の処理装置はグループサブルールによりグループ化する処理を執行できる。前記グループサブルールが元の文の冒頭の部分の文字が「，ｔｈｅ」、「，ｓａｉｄ」、「（改行），  ｔｈｅ」または「（改行），  ｓａｉｄ」であるかどうかということを判断する。即ち、前記グループサブルールが、元の文の冒頭の部分が２回目に出現する要素名詞であるターゲット要素名詞であり、且つ、前記元の文の前のもう１つの元の文に出現し、前記もう１つの元の文の冒頭の部分が１回目に出現する要素名詞であることを判断し、ターゲット要素名詞の位置をグループの開始位置に決定する。
限定冠詞のフォームで出現する１つの２回目に出現する要素名詞であるかどうかを判断し、そうであると判断すれば、前記２回目に出現する要素名詞が、もう１つの「ａ」や「ａｎ」で冒頭の部分とする元の文の後で出現するかどうかということを判断し、即ち、２回目「ｔｈｅ」や「ｓａｉｄ」で定義するかどうかを確実にチェックする。これに対して、ｃｏｍｐｒｉｓｉｎｇを有する際に、有する要素名詞（即ち、主要要素および副次要素）に対して記憶する（即ち、要素名記憶判断サブモジュール２１）必要があり、これにより、「前記２回目に出現する要素名詞がもう１つ「ａ」や「ａｎ」で１回目に出現する要素名詞のもう１つの元の文に出現したこと」の判断を執行する。要素名詞の記憶が、要素名詞記憶判断サブモジュール２１の処理部で行われ、要素名詞記憶判断サブモジュール２１のメモリに記憶されるが、これに限定されるものではない。この動作は、中央処理装置によって実行することができ、または本発明の請求の範囲の構造解析の処理装置１の任意のメモリに格納することができる。
【００３７】
以下、グループ化モジュール２０がグループワードである「ｗｈｅｒｅｉｎ」を有しない元の文をグループ化する例が挙げられる。
Ａ  ｍｏｕｎｔｉｎｇ  ｂｒａｃｋｅｔ  ｆｏｒ  ａ  ｒｏｏｆ  ｗｉｎｄｏｗ  ｃｏｍｐｒｉｓｉｎｇ：  ａ  ｆｒａｍｅ  ｍｏｕｎｔａｂｌｅ  ｅｌｅｍｅｎｔ  ｄｉｓｐｏｓｅｄ  ｏｎ  ａｎ  ｅｄｇｅ  ｏｆ  ｔｈｅ  ｒｏｏｆ  ｗｉｎｄｏｗ；  ａ  ｒｏｏｆ  ｍｏｕｎｔａｂｌｅ  ｅｌｅｍｅｎｔ  ｃｏｎｎｅｃｔｅｄ  ｗｉｔｈ  ｔｈｅ  ｆｒａｍｅ  ｍｏｕｎｔａｂｌｅ  ｅｌｅｍｅｎｔ；  ａｎｄ  ａ  ｈｉｎｇｅ  ｅｌｅｍｅｎｔ  ｓｅｃｕｒｅｌｙ  ｃｏｎｎｅｃｔｅｄ  ｗｉｔｈ  ａ  ｂａｓｅ  ｏｆ  ｔｈｅ  ｒｏｏｆ  ｍｏｕｎｔａｂｌｅ  ｅｌｅｍｅｎｔ，  ｔｈｅ  ｒｏｏｆ  ｍｏｕｎｔａｂｌｅ  ｅｌｅｍｅｎｔ  ｂｅｉｎｇ  ｐｒｏｖｉｄｅｄ  ｗｉｔｈ  ａ  ｄｉｒｅｃｔｉｏｎ  ｇｕｉｄｉｎｇ  ｉｔｅｍ  ｗｈｉｃｈ  ｉｓ  ｃｏｎｆｉｇｕｒｅｄ  ｔｏ  ｄｉｒｅｃｔ  ａｎ  ｏｐｅｎｉｎｇ  ｄｉｒｅｃｔｉｏｎ  ｏｆ  ｔｈｅ  ｆｒａｍｅ  ｍｏｕｎｔａｂｌｅ  ｅｌｅｍｅｎｔ．
この例から分かるように、上述のアンダーラインのところの「，  ｔｈｅ  ｒｏｏｆ  ｍｏｕｎｔａｂｌｅ  ｅｌｅｍｅｎｔ  ｂｅｉｎｇ  ｐｒｏｖｉｄｅｄ  ｗｉｔｈ  ａ  ｄｉｒｅｃｔｉｏｎ  ｇｕｉｄｉｎｇ  ｉｔｅｍ  ｗｈｉｃｈ  ｉｓ  ｃｏｎｆｉｇｕｒｅｄ  ｔｏ  ｄｉｒｅｃｔ  ａｎ  ｏｐｅｎｉｎｇ  ｄｉｒｅｃｔｉｏｎ  ｏｆ  ｔｈｅ  ｆｒａｍｅ  ｍｏｕｎｔａｂｌｅ  ｅｌｅｍｅｎｔ．」が、「，」を冒頭の部分とし、続いて、「２回目に出現する要素名詞」の名詞の接頭語である「ｔｈｅ」を冒頭の部分として判断されるため、前記「ｔｈｅ  ｒｏｏｆ  ｍｏｕｎｔａｂｌｅ  ｅｌｅｍｅｎｔ」をターゲット要素名詞として判断を行う。したがって、ターゲット要素名詞が、前記元の文の前のもう１つの元の文に出現し、前記もう１つの元の文の冒頭の部分が１回目に出現する要素名詞であることを判断され、ターゲット要素名詞の位置をグループの開始位置に決定する。したがって、前記グループ化モジュール２０が、「ｔｈｅ  ｒｏｏｆ  ｍｏｕｎｔａｂｌｅ  ｅｌｅｍｅｎｔ」が「ａ  ｒｏｏｆ  ｍｏｕｎｔａｂｌｅ  ｅｌｅｍｅｎｔ  ｃｏｎｎｅｃｔｅｄ  ｗｉｔｈ  ｔｈｅ  ｆｒａｍｅ  ｍｏｕｎｔａｂｌｅ  ｅｌｅｍｅｎｔ」に定義され、即ち、前記元の文の前のもう１つの元の文に出現し、前記もう１つの元の文の冒頭の部分が１回目に出現する要素名詞であるので、前記ターゲット要素名詞（「ｔｈｅ  ｒｏｏｆ  ｍｏｕｎｔａｂｌｅ  ｅｌｅｍｅｎｔ」）の冒頭の部分がグループの分段箇所を決定する。これで、以下のような内容を得られる。
Ａ  ｍｏｕｎｔｉｎｇ  ｂｒａｃｋｅｔ  ｆｏｒ  ａ  ｒｏｏｆ  ｗｉｎｄｏｗ  ｃｏｍｐｒｉｓｉｎｇ：  
ａ  ｆｒａｍｅ  ｍｏｕｎｔａｂｌｅ  ｅｌｅｍｅｎｔ  ｄｉｓｐｏｓｅｄ  ｏｎ  ａｎ  ｅｄｇｅ  ｏｆ  ｔｈｅ  ｒｏｏｆ  ｗｉｎｄｏｗ；  ａ  ｒｏｏｆ  ｍｏｕｎｔａｂｌｅ  ｅｌｅｍｅｎｔ  ｃｏｎｎｅｃｔｅｄ  ｗｉｔｈ  ｔｈｅ  ｆｒａｍｅ  ｍｏｕｎｔａｂｌｅ  ｅｌｅｍｅｎｔ；  ａｎｄ  ａ  ｈｉｎｇｅ  ｅｌｅｍｅｎｔ  ｓｅｃｕｒｅｌｙ  ｃｏｎｎｅｃｔｅｄ  ｗｉｔｈ  ａ  ｂａｓｅ  ｏｆ  ｔｈｅ  ｒｏｏｆ  ｍｏｕｎｔａｂｌｅ  ｅｌｅｍｅｎｔ，  
ｔｈｅ  ｒｏｏｆ  ｍｏｕｎｔａｂｌｅ  ｅｌｅｍｅｎｔ  ｂｅｉｎｇ  ｐｒｏｖｉｄｅｄ  ｗｉｔｈ  ａ  ｄｉｒｅｃｔｉｏｎ  ｇｕｉｄｉｎｇ  ｉｔｅｍ  ｗｈｉｃｈ  ｉｓ  ｃｏｎｆｉｇｕｒｅｄ  ｔｏ  ｄｉｒｅｃｔ  ａｎ  ｏｐｅｎｉｎｇ  ｄｉｒｅｃｔｉｏｎ  ｏｆ  ｔｈｅ  ｆｒａｍｅ  ｍｏｕｎｔａｂｌｅ  ｅｌｅｍｅｎｔ．
言い換えれば、「ｔｈｅ  ｒｏｏｆ  ｍｏｕｎｔａｂｌｅ  ｅｌｅｍｅｎｔ  ｂｅｉｎｇ  ｐｒｏｖｉｄｅｄ  ｗｉｔｈ  ａ  ｄｉｒｅｃｔｉｏｎ  ｇｕｉｄｉｎｇ  ｉｔｅｍ  ｗｈｉｃｈ  ｉｓ  ｃｏｎｆｉｇｕｒｅｄ  ｔｏ  ｄｉｒｅｃｔ  ａｎ  ｏｐｅｎｉｎｇ  ｄｉｒｅｃｔｉｏｎ  ｏｆ  ｔｈｅ  ｆｒａｍｅ  ｍｏｕｎｔａｂｌｅ  ｅｌｅｍｅｎｔ．」という文が他のグループになるようにグループ化された。
【００３８】
本発明において、前述のように、上述の「１回目に出現する要素」および「２回目に出現する要素」の出現の回数を確認するために、グループサブルールが適用され、本発明の前記グループ化モジュール２０において、前記元の文の冒頭の部分に位置する前記要素名詞を記憶して前記グループサブルールの判断とする要素名詞記憶判断サブモジュール２１を更に有することができる。即ち、「ｃｏｍｐｒｉｓｉｎｇ」に対応される要素名詞（ａ  ｆｒａｍｅ  ｍｏｕｎｔａｂｌｅ  ｅｌｅｍｅｎｔ、ａ  ｒｏｏｆ  ｍｏｕｎｔａｂｌｅ  ｅｌｅｍｅｎｔ  および  ａ  ｈｉｎｇｅ  ｅｌｅｍｅｎｔ  を含む）を読み込んだ際に、これらの３つの要素を要素名詞記憶判断サブモジュール２１に記憶し、前記ターゲット要素名詞が出現した要素名詞であることを確保する。本発明はこれに限定されず、前記要素名詞記憶判断サブモジュール２１が前記元の文に位置する要素名詞（主要要素、或は副次要素）を記憶することもできる。要素名詞の記憶判断という処理が、要素名詞記憶判断サブモジュール２１の処理部で行われ、要素名詞記憶判断サブモジュール２１のメモリに格納されるが、これに限定されるものではない。この動作は、中央処理装置によって実行することができ、または本発明の請求の範囲の構造解析の処理装置１の任意のメモリに記憶することができる。
【００３９】
さらに、グループサブルールの決定効率を高めるために、グループワードである「ｃｏｍｐｒｉｓｉｎｇ」が適用され、即ち、ｃｏｍｐｒｉｓｉｎｇを読み込んだ際に「要素名詞の収集プロセス」を行い、句読点の判断、且つ／或は「１つの元の文の冒頭の部分が要素名詞であり、且つ１回目に出現する要素名詞であること」を判断することによって要素名詞の収集を行う。
【００４０】
即ち、「ｃｏｍｐｒｉｓｉｎｇ」を読み込んだ際に、「；」を要素名詞の分段、且つ／或は元の文における冒頭の部分に位置し、且つ１回目に出現する要素名詞を収集することによって収集を行う。したがって、「ｃｏｍｐｒｉｓｉｎｇ」に所属する要素の集結を得る。例えば、
Ａ  ｍｏｕｎｔｉｎｇ  ｂｒａｃｋｅｔ  ｆｏｒ  ａ  ｒｏｏｆ  ｗｉｎｄｏｗ  ｃｏｍｐｒｉｓｉｎｇ：  ａ  ｆｒａｍｅ  ｍｏｕｎｔａｂｌｅ  ｅｌｅｍｅｎｔ  ｄｉｓｐｏｓｅｄ  ｏｎ  ａｎ  ｅｄｇｅ  ｏｆ  ｔｈｅ  ｒｏｏｆ  ｗｉｎｄｏｗ；  ａ  ｒｏｏｆ  ｍｏｕｎｔａｂｌｅ  ｅｌｅｍｅｎｔ  ｃｏｎｎｅｃｔｅｄ  ｗｉｔｈ  ｔｈｅ  ｆｒａｍｅ  ｍｏｕｎｔａｂｌｅ  ｅｌｅｍｅｎｔ；  ａｎｄ  ａ  ｈｉｎｇｅ  ｅｌｅｍｅｎｔ  ｓｅｃｕｒｅｌｙ  ｃｏｎｎｅｃｔｅｄ  ｗｉｔｈ  ａ  ｂａｓｅ  ｏｆ  ｔｈｅ  ｒｏｏｆ  ｍｏｕｎｔａｂｌｅ  ｅｌｅｍｅｎｔ，  …
ここから、「ｃｏｍｐｒｉｓｉｎｇ」を読み込んだ際に、「；」を分段として元の文における冒頭の部分に位置し、且つ１回目に出現する要素名詞（ａ  ｆｒａｍｅ  ｍｏｕｎｔａｂｌｅ  ｅｌｅｍｅｎｔ、ａ  ｒｏｏｆ  ｍｏｕｎｔａｂｌｅ  ｅｌｅｍｅｎｔ、及ａ  ｈｉｎｇｅ  ｅｌｅｍｅｎｔ）を収集することで前記ｃｏｍｐｒｉｓｉｎｇに所属する要素名詞がその３つの要素名詞であることが分かる。
【００４１】
以下、続いて本発明の前記請求の範囲の構造解析の処理装置の分断モジュール３０を説明する。前記分断モジュール３０において、分断ルールにより、グループ化モジュール２０で処理して得た各前記グループの前記要素名詞および連接関係叙述を分断し、前記分断ルールが、前記グループにおける前記要素名詞と前記連接関係叙述の間の品詞関係に関連し、且つ／又は、前記要素名詞と前記連接関係叙述の間の位置関係に関連し、且つ／又は、前記連接関係叙述における文字の間の品詞関係に関連する。分断という処理が、分断モジュール３０の処理部で行われ、分断モジュール３０のメモリに記憶されるが、これに限定されるものではない。この処理は、中央処理装置によって実行することができ、または本発明の請求の範囲の構造解析の処理装置１の任意のメモリに記憶することができる。
【００４２】
グループ化モジュール２０で処理して得た各前記グループが以下の内容のようである。
「Ａ  ｍｏｕｎｔｉｎｇ  ｂｒａｃｋｅｔ  ｆｏｒ  ａ  ｒｏｏｆ  ｗｉｎｄｏｗ  ｃｏｍｐｒｉｓｉｎｇ：  
ａ  ｆｒａｍｅ  ｍｏｕｎｔａｂｌｅ  ｅｌｅｍｅｎｔ  ｄｉｓｐｏｓｅｄ  ｏｎ  ａｎ  ｅｄｇｅ  ｏｆ  ｔｈｅ  ｒｏｏｆ  ｗｉｎｄｏｗ；
ａ  ｒｏｏｆ  ｍｏｕｎｔａｂｌｅ  ｅｌｅｍｅｎｔ  ｃｏｎｎｅｃｔｅｄ  ｗｉｔｈ  ｔｈｅ  ｆｒａｍｅ  ｍｏｕｎｔａｂｌｅ  ｅｌｅｍｅｎｔ；  ａｎｄ
ａ  ｈｉｎｇｅ  ｅｌｅｍｅｎｔ  ｓｅｃｕｒｅｌｙ  ｃｏｎｎｅｃｔｅｄ  ｗｉｔｈ  ａ  ｂａｓｅ  ｏｆ  ｔｈｅ  ｒｏｏｆ  ｍｏｕｎｔａｂｌｅ  ｅｌｅｍｅｎｔ，」。
ここから、前記分断モジュール３０がグループ化モジュール２０で処理して得た各前記グループを「要素名詞と連接関係叙述が互い分段すること」を原則として１つのグループを分断する。その中に、相関要素名詞「ａ  ｆｒａｍｅ  ｍｏｕｎｔａｂｌｅ  ｅｌｅｍｅｎｔ」、「ａ  ｒｏｏｆ  ｍｏｕｎｔａｂｌｅ  ｅｌｅｍｅｎｔ」および「ａ  ｈｉｎｇｅ  ｅｌｅｍｅｎｔ」が下述のものでそれらの要素名詞に所属する関係と互いに分断されることが分かる。そして、以下の内容を得た。
「ａ  ｆｒａｍｅ  ｍｏｕｎｔａｂｌｅ  ｅｌｅｍｅｎｔ  
ｄｉｓｐｏｓｅｄ  ｏｎ  ａｎ  ｅｄｇｅ  ｏｆ  ｔｈｅ  ｒｏｏｆ  ｗｉｎｄｏｗ；」、
「ａ  ｒｏｏｆ  ｍｏｕｎｔａｂｌｅ  ｅｌｅｍｅｎｔ  
ｃｏｎｎｅｃｔｅｄ  ｗｉｔｈ  ｔｈｅ  ｆｒａｍｅ  ｍｏｕｎｔａｂｌｅ  ｅｌｅｍｅｎｔ；  ａｎｄ」、および
「ａ  ｈｉｎｇｅ  ｅｌｅｍｅｎｔ  
ｓｅｃｕｒｅｌｙ  ｃｏｎｎｅｃｔｅｄ  ｗｉｔｈ  ａ  ｂａｓｅ  ｏｆ  ｔｈｅ  ｒｏｏｆ  ｍｏｕｎｔａｂｌｅ  ｅｌｅｍｅｎｔ，」。
【００４３】
本発明の構造分析の処理により、以下のように、請求の範囲の処理前と処理後の差異を比較・示した。
処理前の請求の範囲：
2018120586.tif 000003
処理後の請求の範囲：
2018120586.tif 000004
【００４４】
上述の処理によって得た請求の範囲（ｗｈｅｒｅｉｎの分段部分が後述される）が読み易いことおよびポイント整理やすいことのある利点を有する。
【００４５】
ここで注意すべき点は、主要要素名詞だけとそれに対応する連接関係叙述を分断する。副次要素名詞が連接関係叙述から分断されない。主要要素名詞と副次要素名詞が前記要素名詞および連接関係叙述の間の位置の関係により決定される。その他の分断の基準が、前記関係叙述における文字の間の品詞の関係に関連することを含む。
たとえば、
「ａ  ｈｉｎｇｅ  ｅｌｅｍｅｎｔ  
ｓｅｃｕｒｅｌｙ  ｃｏｎｎｅｃｔｅｄ  ｗｉｔｈ  ａ  ｂａｓｅ  ｏｆ  ｔｈｅ  ｒｏｏｆ  ｍｏｕｎｔａｂｌｅ  ｅｌｅｍｅｎｔ，」
ここから、「ａ  ｂａｓｅ  ｏｆ  ｔｈｅ  ｒｏｏｆ  ｍｏｕｎｔａｂｌｅ  ｅｌｅｍｅｎｔ」（副次要素）が「ｓｅｃｕｒｅｌｙ  ｃｏｎｎｅｃｔｅｄ  ｗｉｔｈ」（連接関係叙述）と分段されないことが分かる。
【００４６】
「前記関係叙述における文字の間の品詞の関係に関連する」という基準が前記連接関係叙述の自体においても品詞によって分断するかどうかを決定するということである。例えば、
「ｔｈｅ  ｒｏｏｆ  ｍｏｕｎｔａｂｌｅ  ｅｌｅｍｅｎｔ  ｂｅｉｎｇ  ｐｒｏｖｉｄｅｄ  ｗｉｔｈ  ａ  ｄｉｒｅｃｔｉｏｎ  ｇｕｉｄｉｎｇ  ｉｔｅｍ  ｗｈｉｃｈ  ｉｓ  ｃｏｎｆｉｇｕｒｅｄ  ｔｏ  ｄｉｒｅｃｔ  ａｎ  ｏｐｅｎｉｎｇ  ｄｉｒｅｃｔｉｏｎ  ｏｆ  ｔｈｅ  ｆｒａｍｅ  ｍｏｕｎｔａｂｌｅ  ｅｌｅｍｅｎｔ．」
以下のような内容に分断できる。
「ｔｈｅ  ｒｏｏｆ  ｍｏｕｎｔａｂｌｅ  ｅｌｅｍｅｎｔ」（主要要素名詞）および
「ｂｅｉｎｇ  ｐｒｏｖｉｄｅｄ  ｗｉｔｈ  ａ  ｄｉｒｅｃｔｉｏｎ  ｇｕｉｄｉｎｇ  ｉｔｅｍ  ｗｈｉｃｈ  ｉｓ  ｃｏｎｆｉｇｕｒｅｄ  ｔｏ  ｄｉｒｅｃｔ  ａｎ  ｏｐｅｎｉｎｇ  ｄｉｒｅｃｔｉｏｎ  ｏｆ  ｔｈｅ  ｆｒａｍｅ  ｍｏｕｎｔａｂｌｅ  ｅｌｅｍｅｎｔ．」（連接関係叙述）。
【００４７】
ここで注意すべく点は、前記連接関係叙述「ｂｅｉｎｇ  ｐｒｏｖｉｄｅｄ  ｗｉｔｈ  ａ  ｄｉｒｅｃｔｉｏｎ  ｇｕｉｄｉｎｇ  ｉｔｅｍ  ｗｈｉｃｈ  ｉｓ  ｃｏｎｆｉｇｕｒｅｄ  ｔｏ  ｄｉｒｅｃｔ  ａｎ  ｏｐｅｎｉｎｇ  ｄｉｒｅｃｔｉｏｎ  ｏｆ  ｔｈｅ  ｆｒａｍｅ  ｍｏｕｎｔａｂｌｅ  ｅｌｅｍｅｎｔ．」において、文の流暢度を維持するように「ｗｈｉｃｈ  ｉｓ  ｃｏｎｆｉｇｕｒｅｄ  ｔｏ  ｄｉｒｅｃｔ  ａｎ  ｏｐｅｎｉｎｇ  ｄｉｒｅｃｔｉｏｎ  ｏｆ  ｔｈｅ  ｆｒａｍｅ  ｍｏｕｎｔａｂｌｅ  ｅｌｅｍｅｎｔ．」という定義が「ｂｅｉｎｇ  ｐｒｏｖｉｄｅｄ  ｗｉｔｈ  ａ  ｄｉｒｅｃｔｉｏｎ  ｇｕｉｄｉｎｇ  ｉｔｅｍ」と分断されない。その理由は、連接関係叙述における関係代名詞である「ｗｈｉｃｈ」の品詞で分断するかを決定するからである。一方、「ｗｈｅｎ」は読み込まれて分断するかどうかを選ぶための単語であるので、分断モジュール３０が「ｗｈｅｎ」を読み込むと、分断するかどうかを選ぶことができる。
【００４８】
前記分断ルールが前記元の文における要素名詞を前記要素名詞の後の前記連接関係叙述から分断する。即ち、１つの元の文において、主要要素を前記主要要素に対応する連接関係叙述から分断する。即ち、要素名詞を前記要素名詞の後にある前記連接関係叙述から分断する。
【００４９】
注目すべきことは、ｃｏｍｐｒｉｓｉｎｇの表現方法が「ｃｏｍｐｒｉｓｉｎｇ：…；  …；  ａｎｄ  …」の規則形式で出現するので、時々、要素名詞と要素名詞の間に各種の補充叙述（非要素名詞）が出現し（即ち、第１要素と第２要素の間に前記第１要素の補充叙述がある）、ｃｏｍｐｒｉｓｉｎｇが含む文字定義の範囲を確認することが困難である場合がある。このため、本発明は同属集結モジュールを提供する。図２に示すように、本発明の前記グループ化モジュール２０が同属集結モジュール２３を更に有し、前記同属集結モジュール２３が同属集結ルールにより、集結ワードライブラリーにおける集結ワードを読取った時に、元の文の冒頭の部分に位置し、且つ初めて出現する要素名詞を記憶し、同属名詞になるように集結する。これで、前記ｃｏｍｐｒｉｓｉｎｇが含む要素の範囲を得られる。前記グループワードライブラリーにおけるグループワードを結合して判断を行い、この際に、前記グループワードライブラリーにおけるグループワードが「ｃｏｍｐｒｉｓｉｎｇ」であることができ、即ち、ｃｏｍｐｒｉｓｉｎｇを読み込むと「要素名詞の収集プロセス」を行い、「，  ａ」（句読点が  ａ  に加えるフォーム、即ち、１つの元の文の冒頭の部分に位置し、且つ１回目に出現する要素名詞であるかどうかを判断する）によって記憶され、同属名詞に集結する。上述の方法が、「１つの元の文の冒頭の部分が要素名詞であり、且つ１回目に出現する要素名詞である」というフォームで要素名詞の収集を行う。同属集結という処理は、同属集結モジュール２３の処理部によって実行され、同属集結モジュール２３のメモリに記憶されるが、これに限定されない。  この動作は、中央処理装置によって実行することができ、または本発明の請求の範囲の構造解析の処理装置１の任意のメモリに記憶することができる。
【００５０】
図２に示すように、本発明の前記グループ化モジュール２０が、前記同属集結モジュール２３の執行回数を決定するために、前記グループに属する同属キーワードの個数を統計する同属キーワード統計部２２を更に有することができる。１つの主要要素名詞が同属キーワード、即ち、ｃｏｍｐｒｉｓｉｎｇによって前記主要要素が有する副次要素名詞を更に定義する。したがって、グループ化モジュール２０が、複数の同属キーワードがある際に、各同属キーワードに所属する要素名詞を個別に帰属する。
例えば：
2018120586.tif 000005
上述の例において、Ａ  ｍｏｕｎｔｉｎｇ  ｂｒａｃｋｅｔに有する要素名詞であるａ  ｆｒａｍｅ  ｍｏｕｎｔａｂｌｅ  ｅｌｅｍｅｎｔ、ａ  ｒｏｏｆ  ｍｏｕｎｔａｂｌｅ  ｅｌｅｍｅｎｔおよびａ  ｈｉｎｇｅ  ｅｌｅｍｅｎｔをＡ  ｍｏｕｎｔｉｎｇ  ｂｒａｃｋｅｔに帰属する必要があり、また、ａ  ｆｒａｍｅ  ｍｏｕｎｔａｂｌｅ  ｅｌｅｍｅｎｔに有する要素名詞であるａｎ  ｅｄｇｅ  ｐｏｒｔｉｏｎ、  ａ  ｆｒｏｎｔ  ｐｏｒｔｉｏｎ、およびａｎ  ｅｎｄ  ｐｏｒｔｉｏｎをａ  ｆｒａｍｅ  ｍｏｕｎｔａｂｌｅ  ｅｌｅｍｅｎｔ帰属する必要がある。
このため、前記同属集結モジュール２３の執行回数を決定するために、前記グループに属する同属キーワードの個数を統計する同属キーワード統計部２２を提供することが必要される。同属キーワード統計という処理は、同属キーワード統計部２２の処理単位によって実行され、同属キーワード統計部２２のメモリに記憶されるが、これに限定されない。この動作は、中央処理装置によって実行することができ、または本発明の請求の範囲の構造解析の処理装置１の任意のメモリに記憶することができる。
【００５１】
図１および図２に示すように、本発明は、前記グループルール、且つ／又は前記分断ルール、且つ／又は同属集結ルールにより、要素名詞の階層位置を決定する階層表示判断モジュール４０を更に含む。前述の前記グループルール、前記分断ルールや前記同属集結ルールが要素名詞が位置する階層によって前記要素名詞が所属する元の文における連接関係叙述のある階層の位置を決定できる。例えば：
2018120586.tif 000006
前記同属キーワードが、Ａ  ｍｏｕｎｔｉｎｇ  ｂｒａｃｋｅｔが有する要素名詞ａ  ｆｒａｍｅ  ｍｏｕｎｔａｂｌｅ  ｅｌｅｍｅｎｔ、ａ  ｒｏｏｆ  ｍｏｕｎｔａｂｌｅ  ｅｌｅｍｅｎｔおよびａ  ｈｉｎｇｅ  ｅｌｅｍｅｎｔをＡ  ｍｏｕｎｔｉｎｇ  ｂｒａｃｋｅｔに帰属したので、それらの要素名詞ａ  ｆｒａｍｅ  ｍｏｕｎｔａｂｌｅ  ｅｌｅｍｅｎｔ、ａ  ｒｏｏｆ  ｍｏｕｎｔａｂｌｅ  ｅｌｅｍｅｎｔおよびａ  ｈｉｎｇｅ  ｅｌｅｍｅｎｔが同様な階層位置を有し、同じく、これらの要素名詞に対応する連接関係叙述（それぞれ、「ｄｉｓｐｏｓｅｄ  ｏｎ  ａｎ  ｅｄｇｅ  ｏｆ  ｔｈｅ  ｒｏｏｆ  ｗｉｎｄｏｗ」、「ｃｏｎｎｅｃｔｅｄ  ｗｉｔｈ  ｔｈｅ  ｆｒａｍｅ  ｍｏｕｎｔａｂｌｅ  ｅｌｅｍｅｎｔ」および「ｓｅｃｕｒｅｌｙ  ｃｏｎｎｅｃｔｅｄ  ｗｉｔｈ  ａ  ｂａｓｅ  ｏｆ  ｔｈｅ  ｒｏｏｆ  ｍｏｕｎｔａｂｌｅ  ｅｌｅｍｅｎｔ」である）が同様な階層位置を有する。「ｗｈｅｒｅｉｎ  ｔｈｅ  ｈｉｎｇｅ  ｅｌｅｍｅｎｔ  ｍｅｃｈａｎｉｃａｌｌｙ  ｃｏｕｐｌｅｓ  ｔｈｅ  ｒｏｏｆ  ｍｏｕｎｔａｂｌｅ  ｅｌｅｍｅｎｔ  ａｎｄ  ｔｈｅ  ｆｒａｍｅ  ｍｏｕｎｔａｂｌｅ  ｅｌｅｍｅｎｔ  ｔｏｇｅｔｈｅｒ  ｓｏ  ｔｈａｔ  ｔｈｅ  ｒｏｏｆ  ｍｏｕｎｔａｂｌｅ  ｅｌｅｍｅｎｔ  ｉｓ  ｍｏｖａｂｌｅ  ｂｅｔｗｅｅｎ  ａｎ  ｏｕｔ  ｏｆ  ｕｓｅ  ｓｔｏｒａｇｅ  ｐｏｓｉｔｉｏｎ  ａｎｄ  ａｎ  ｉｎ  ｕｓｅ  ｍｏｕｎｔｉｎｇ  ｐｏｓｉｔｉｏｎ．」について、既にもう１つのグループであることが判断されたので、冒頭の部分の位置が最先端の階層位置であり、故に、表示された結果は以下のような内容である。
2018120586.tif 000007
【００５２】
本発明は、前記階層表示判断モジュール４０で処理した前記請求の範囲の内容を前記要素名詞および前記要素名詞に対応する連接関係叙述が持つ階層関係により表示する表示モジュールを更に含み、上述のような例において、同じ階層を有する「ａ  ｆｒａｍｅ  ｍｏｕｎｔａｂｌｅ  ｅｌｅｍｅｎｔ」、「ａ  ｒｏｏｆ  ｍｏｕｎｔａｂｌｅ  ｅｌｅｍｅｎｔ」および「ａ  ｈｉｎｇｅ  ｅｌｅｍｅｎｔ  ｓｅｃｕｒｅｌｙ」が同様な段落の冒頭の部分に距離する間隔である位置に設置される。表示の処理は、表示モジュール５０の処理部で行われ、表示モジュール５０のメモリに記憶されるが、これに限定されるものではない。この処理は、中央処理装置によって実行することができ、または本発明の請求の範囲の構造解析の処理装置１の任意のメモリに記憶することができる。階層表示判断という処理は、階層表示判断モジュール４０によって行われ、階層表示判断モジュール４０のメモリに記憶されるが、これに限定されるものではない。この動作は、中央処理装置によって実行することができ、または本発明の請求の範囲の構造解析の処理装置１の任意のメモリに記憶することができる。
【００５３】
また、前記表示モジュール５０が、同様な階層を有する要素名詞、且つ／又は要素叙述を同様な標示で前記要素名詞に対応する箇所に標示し（例えば、前記要素名詞の自体や前記要素名詞の前後）、異なる階層を有する要素名詞、且つ／又は要素叙述を異なる標示で標示する（例えば、前記要素名詞の自体や前記要素名詞の前後）ことができる。前記標示が星印（即ち、★）、大括弧／中括弧／小括弧で包囲する数字、大文字英語、小文字英語、ローマ数字、太字、アンダーライン、斜体字、各種の背景の色、各種の字体の色、各種の字体の大きさやそれらの結合であることができ。例えば、上述の例において、「ａ  ｆｒａｍｅ  ｍｏｕｎｔａｂｌｅ  ｅｌｅｍｅｎｔ」、「ａ  ｒｏｏｆ  ｍｏｕｎｔａｂｌｅ  ｅｌｅｍｅｎｔ」および「ａ  ｈｉｎｇｅ  ｅｌｅｍｅｎｔ  ｓｅｃｕｒｅｌｙ」の同一階層の要素名詞の前後を、太字とアンダーラインが加えられる「中括弧包囲数字」の斜体字で標示符号として表示し、前記同一階層の要素名詞が同様な背景の色と同様な字体の色で表示される。重要な文字（従属動詞（ｃｏｍｐｒｉｓｉｎｇ、ｉｎｃｌｕｄｉｎｇ）およびｗｈｅｒｅｉｎを含む）が太字、斜体字およびアンダーラインで標示され、従属動詞に２つの「〜」も加えた。異なる階層にある要素名詞（例えば、ａ  ｍｏｕｎｔｉｎｇ  ｂｒａｃｋｅｔおよびａ  ｆｒａｍｅ  ｍｏｕｎｔａｂｌｅ  ｅｌｅｍｅｎｔ）が異なる背景の色（例えば、１つがオレンジ、もう１つが緑色）で表示する。そして、以下の内容（白黒表示するので、色彩の表現は黒と白の色合いで表示する）が得られた。
2018120586.tif 000008
【００５４】
上記の説明はただ本発明の好ましいとされる実施例の説明に過ぎない。この技術に対し、本発明の特許請求の範囲と上述の説明に基づいて、ほかの変更ができるが、これらの変更は本発明の創意であるべく、本発明の権利的範囲に包含される。
【符号の説明】
【００５５】
１０    要素名詞取得モジュール
２０    グループ化モジュール
２１    要素名詞記憶判断サブモジュール
２２    同属キーワード統計部
２３    同属集結モジュール
３０    分断モジュール
４０    階層表示判断モジュール
５０    表示モジュール
【図１】
2018120586.tif 000009
【図２】
2018120586.tif 000010
【図３ａ】
2018120586.tif 000011
【図３ｂ】
2018120586.tif 000012
【図４】
2018120586.tif 000013